(57)【特許請求の範囲】
【請求項１】
第１基板と、前記第１基板上に配置されたディスプレイ部と、前記第１基板との間に前記ディスプレイ部が位置するように、前記第１基板の一の側部を露出させて前記第１基板に対向して配置される第２基板と、を備える平板ディスプレイパネルと、
前記平板ディスプレイパネルを収容保持するとともに前記第１基板を包むベゼルと、を備え、
前記第１基板の前記第２基板の外側に露出された前記一の側部の角部は面取りされており、
前記ベゼルは、弾性変形可能な材料で形成されており、かつ前記平板ディスプレイパネルの端部面を包むための折り曲げ部を備え、
前記折り曲げ部は、前記第１基板の前記第２基板の外側に露出された前記一の側部における端部面の中央部を露出させるとともに、前記第１基板の面取りされた角部との間に隙間を隔てて配置され、
前記第１基板の前記第２基板の外側に露出された前記一の側部には、前記ディスプレイ部に電気的に連結された端子部が配置され、
さらに、前記端子部に電気的に連結されるフレキシブル印刷回路基板を備えることを特徴とする平板ディスプレイ装置。
【請求項２】
前記ベゼルは、金属材料で形成されたことを特徴とする請求項１に記載の平板ディスプレイ装置。
【発明の詳細な説明】
【技術分野】
【０００１】
本発明は、平板ディスプレイ装置に係り、さらに詳細には、落下などの衝撃による破損率を低減させた平板ディスプレイ装置に関する。
【背景技術】
【０００２】
一般的に平板ディスプレイ装置は、そのハンドリングなどを容易にするために、平板ディスプレイパネルにべゼルを取付ける。
【０００３】
これらの平板ディスプレイ装置は、モバイル機器に装着できるが、ユーザーがモバイル機器などを使用する途中で取り扱い不注意で落とす虞がある。この場合、平板ディスプレイ装置の平板ディスプレイパネルが落下の衝撃により破損して、平板ディスプレイ装置だけではなくモバイル機器も使用できなくなることもある。もちろん、平板ディスプレイ装置がモバイル機器に装着されていない状態でも、ユーザーの取り扱い不注意で平板ディスプレイ装置が落下して衝撃により破損する場合もあるということは言うまでもない。また、平板ディスプレイ装置をモバイル機器に装着するモバイル機器の製造工程中に平板ディスプレイ装置が落下して衝撃により破損してしまうこともある。
【発明の概要】
【発明が解決しようとする課題】
【０００４】
本発明は、前記問題点に鑑みてなされたものであり、落下などの衝撃による破損率を低減させた平板ディスプレイ装置を提供することを目的とする。
【課題を解決するための手段】
【０００５】
（ｉ）第１基板と、前記第１基板上に配置されたディスプレイ部と、前記第１基板との
間に前記ディスプレイ部が位置するように、前記第１基板の一の側部を露出させて前記第１基板に対向して配置される第２基板と、を備える平板ディスプレイパネルと、前記平板ディスプレイパネルを収容保持するとともに前記第１基板を包むべゼルと、を備え、前記第１基板の前記第２基板の外側に露出された前記一の側部の角部は面取りされており、前記ベゼルは、弾性変形可能な材料で形成されており、かつ前記平板ディスプレイパネルの端部面を包むための折り曲げ部を備え、前記折り曲げ部は、前記第１基板の前記第２基板の外側に露出された前記一の側部における端部面の中央部を露出させるとともに、前記第１基板の面取りされた角部との間に隙間を隔てて配置され、前記第１基板の前記第２基板の外側に露出された前記一の側部には、前記ディスプレイ部に電気的に連結された端子部が配置され、さらに、前記端子部に電気的に連結されるフレキシブル印刷回路基板を備えることを特徴とする平板ディスプレイ装置を提供する。
【００１２】
本発明のさらに他の特徴によれば、前記べゼルは、金属材料で形成されている。
【発明の効果】
【００１３】
本発明の平板ディスプレイ装置によれば、落下などの衝撃による破損率を低減できる。
【図面の簡単な説明】
【００１４】
【図１Ａ】本発明の一実施形態による平板ディスプレイ装置を概略的に示す分解斜視図である。
【図１Ｂ】図１Ａの平板ディスプレイ装置を概略的に示す斜視図である。
【図１Ｃ】図１Ａの平板ディスプレイ装置の一部を概略的に示す平面図である。
【図２Ａ】比較例による平板ディスプレイ装置を概略的に示す分解斜視図である。
【図２Ｂ】比較例による平板ディスプレイ装置を概略的に示す斜視図である。
【図３Ａ】比較例による平板ディスプレイ装置の落下時の衝撃による平板ディスプレイパネルの変形量を実験的に測定して示す図である。
【図３Ｂ】比較例による平板ディスプレイ装置の落下時の衝撃による平板ディスプレイパネルの変形量を実験的に測定して示す図である。
【図４Ａ】図２ＢのＩＶ−ＩＶ線の断面図であって、比較例による平板ディスプレイ装置の落下時の衝撃による平板ディスプレイパネルの損傷を概念的に示す図である。
【図４Ｂ】図２ＢのＩＶ−ＩＶ線の断面図であって、比較例による平板ディスプレイ装置の落下時の衝撃による平板ディスプレイパネルの損傷を概念的に示す図である。
【図４Ｃ】図２ＢのＩＶ−ＩＶ線の断面図であって、比較例による平板ディスプレイ装置の落下時の衝撃による平板ディスプレイパネルの損傷を概念的に示す図である。
【図５】本実施形態による平板ディスプレイ装置と、比較例による平板ディスプレイ装置とを落下させた時の破損の程度を比較した結果を示すグラフである。
【図６】本発明の他の実施形態による平板ディスプレイ装置を概略的に示す分解斜視図である。
【図７Ａ】本発明のさらに他の実施形態による平板ディスプレイ装置の平板ディスプレイパネルの一部分を概略的に示す平面図である。
【図７Ｂ】本発明のさらに他の実施形態による平板ディスプレイ装置の平板ディスプレイパネルの一部分を概略的に示す平面図である。
【図７Ｃ】本発明のさらに他の実施形態による平板ディスプレイ装置の平板ディスプレイパネルの一部分を概略的に示す平面図である。
【発明を実施するための形態】
【００１５】
以下、添付した図面を参照して本発明の実施形態を詳細に説明すれば、次の通りである。
【００１６】
図１Ａは、本発明の一実施形態による平板ディスプレイ装置を概略的に示す分解斜視図であり、図１Ｂは、図１Ａの平板ディスプレイ装置を概略的に示す斜視図であり、図１Ｃは、図１Ａの平板ディスプレイ装置の一部を概略的に示す平面図である。
【００１７】
図１Ａないし図１Ｃを参照すれば、本実施形態による平板ディスプレイ装置は、平板ディスプレイパネルＰと、この平板ディスプレイパネルＰの一面を包むべゼル４０とを備える。平板ディスプレイパネルＰは、第１基板１０とこれに対向した第２基板２０、そして第１基板１０と第２基板２０とを接合するシーラント３０を備える。もちろん、平板ディスプレイパネルＰは、図１Ａないし図１Ｃに示したものと異なる形状を持つこともできるなど、多様な変形が可能である。
【００１８】
第１基板１０上にはディスプレイ部（図示せず）が配置され、このディスプレイ部が第１基板１０と第２基板２０との間に位置するように第１基板１０と第２基板２０とが配置される。この時、第２基板２０は、第１基板１０の一側（一の側部）Ａが露出されるように配置される。そして、第１基板１０の第２基板２０の外側に露出された部分Ａの角部（一の側部の角部）Ａ′′は面取りされている形状である。
【００１９】
これらの本実施形態による平板ディスプレイ装置の場合、落下により衝撃を受けても、平板ディスプレイパネルＰの損傷を最小化できる。
【００２０】
図２Ａは、比較例による平板ディスプレイ装置を概略的に示す分解斜視図であり、図２Ｂは、図２Ａの平板ディスプレイ装置を概略的に示す斜視図である。
【００２１】
図示したように、比較例による平板ディスプレイ装置は、平板ディスプレイパネルＰにべゼル４が取付けられた構造である。比較例による平板ディスプレイ装置の平板ディスプレイパネルＰは、図２Ａ及び図２Ｂに示したように、第１基板１と第２基板２とが相互に対向して配置された構造を持つところ、この時、第２基板２は、第１基板１の一側Ｂが露出されるように第１基板１に対向して配置される。
【００２２】
そして、べゼル４は、平板ディスプレイパネルＰの第１基板１及び平板ディスプレイパネルＰの端部面（側面）を包むが、第１基板１の第２基板２の外側に露出された部分の中央部分の端部面（側面）は包まない。
【００２３】
すなわち、平板ディスプレイパネルＰの他の端部面（側面）はべゼル４により包まれるが、平板ディスプレイパネルＰの一側Ｂが露出して配置される一端部面（側面）は、その部分を包むべゼル４の幅ｗが小さくて、べゼル４により完全に包まれない。
【００２４】
これらのべゼル４の形状により、平板ディスプレイ装置の落下時に平板ディスプレイパネルに伝達される衝撃は、平板ディスプレイパネルの各部分によって異なる。
【００２５】
図３Ａ及び図３Ｂは、図２Ａ及び図２Ｂの比較例による平板ディスプレイ装置の落下時の衝撃による平板ディスプレイパネルＰの変形量を実験的に測定して示す図である。
【００２６】
図３Ａ及び図３Ｂを参照すれば、平板ディスプレイ装置の落下時の衝撃により平板ディスプレイパネルＰが反るが、この時、平板ディスプレイパネルＰの特定部分の反りの程度が他の部分の反りの程度より大きいことが分かる。
【００２７】
すなわち、図３Ａ及び図３Ｂに示したように、第１基板１の第２基板２の外側に露出された部分の変形量は、他の部分の変形量より相対的に大きく、特に、第１基板１の第２基板２の外側に露出された部分の中央部分Ｂ′′の変形量が大きい。これにより、平板ディスプレイ装置の落下時の衝撃により、平板ディスプレイパネルＰのＢ′′で表示された部分が破損する確率が非常に高い。
【００２８】
図４Ａないし図４Ｃは、図２ＢのＩＶ−ＩＶ線の断面図であり、比較例による平板ディスプレイ装置の落下時の衝撃による平板ディスプレイパネルＰの損傷を概念的に示す図である。
【００２９】
図２Ａ及び図２Ｂに示したものと同じ比較例による平板ディスプレイ装置の場合、落下時にべゼル４の角部Ｂ′が地面などにぶつかる確率が高い。したがって、平板ディスプレイ装置の落下時にべゼル４の角部Ｂ′で発生する衝撃力が、他の部分で発生する衝撃力より相対的に大きい。特に、べゼル４が金属のような弾性変形可能な材料で形成された場合、図４Ａのような状態の平板ディスプレイ装置が落下して平板ディスプレイ装置の角部Ｂ′が地面にぶつかって衝撃が発生した時、図４Ｂに示したように、べゼル４が反り、これにより平板ディスプレイパネルＰの第１基板１にもべゼル４の反りに沿って反りが生じる。
【００３０】
次いで、べゼル４は、弾性により図４Ｃに示したように元の状態に戻るが、ガラス材で形成された第１基板１は、べゼル４の反りにより損傷する。また、べゼル４の角部Ｂ′で発生した衝撃力は、図３Ａ及び図３Ｂに示したように第１基板１の第２基板２の外側に露出された部分の中央部分Ｂ′′に伝達されて、その部分の破損を引き起こすこともある。
【００３１】
しかし、図１Ａないし図１Ｃに示したような本実施形態による平板ディスプレイ装置の場合、平板ディスプレイ装置の落下時にべゼル４０の角部Ａ′で発生する衝撃力が他の部分で発生する衝撃力より相対的に大きいとしても、平板ディスプレイパネルＰの第１基板１０の角部Ａ′′が面取りされているため、平板ディスプレイパネルＰ及び／または第１基板１０に衝撃が伝達されなくなる。
【００３２】
具体的に説明すれば、次の通りである。平板ディスプレイ装置の落下時にべゼル４０の角部Ａ′が地面にぶつかる確率が高い。したがって、平板ディスプレイ装置の落下時にべゼル４０の角部Ａ′で発生する衝撃力が、他の部分で発生する衝撃力より相対的に大きい。
【００３３】
平板ディスプレイ装置が落下して平板ディスプレイ装置の角部が地面にぶつかって衝撃が発生した時、その衝撃によりべゼル４０が反る。しかし、第１基板１０などがガラス材のように弾性の小さい材料で形成されるとしても、第１基板１０の第２基板２０の外側に露出された部分の角部Ａ′′が面取りされているため、べゼル４０で発生した衝撃力が平板ディスプレイパネルＰには伝達されないか、または伝達される衝撃力を最小化できる。したがって、平板ディスプレイパネルＰの損傷を効率的に低減できる。
【００３４】
図５は、本実施形態による平板ディスプレイ装置と、比較例による平板ディスプレイ装置とを落下させた時の破損の程度を比較した結果を示すグラフである。
【００３５】
平板ディスプレイ装置は六面体になっているので、１個の平板ディスプレイ装置の各面が下側に向いた状態で平板ディスプレイ装置を落下させると、１個の平板ディスプレイ装置を全部で６回落下させることになる。
【００３６】
したがって、１個の平板ディスプレイ装置を落下させて点数を付与するが、例えば、背面が下側に向いた状態で落下させて平板ディスプレイパネルが損傷していなければ、１点を付与し、次いで、上面が下側に向いた状態で落下させて平板ディスプレイパネルが損傷していなければ、１点をさらに付与して点数を２点にし、次いで、左側面が下側に向いた状態で落下させて平板ディスプレイパネルが損傷していなければ、１点をさらに付与する方式で点数を加算する。もし、点数が２点になった状態で左側面を下側に向かわせて落下させて平板ディスプレイパネルが損傷したならば、その損傷した平板ディスプレイ装置は２点が最終点数となる。
【００３７】
したがって、１個の平板ディスプレイ装置は、６回にかけて落下しても平板ディスプレイパネルが損傷していなければ、６点を獲得するようになる。その場合、このような全６回の落下実験を１サイクルとし、１個の平板ディスプレイ装置について最大３サイクルまで実験を実施する。もちろん、その途中で平板ディスプレイ装置の平板ディスプレイパネルが損傷すれば、その時点での点数が最終点数になってこれ以上落下実験を実施しない。結局、各平板ディスプレイ装置は０ないし１８の点数を持つようになる。
【００３８】
このような実験を、比較例による平板ディスプレイ装置２１７個に対して行ってその点数の分布を描き、同様の実験を、本実施形態による平板ディスプレイ装置６０個に対して行ってその点数の分布を描けば、図５に示したようなグラフが現れる。
【００３９】
すなわち、比較例による平板ディスプレイ装置の場合、平均点数ＭＣは４．７８であり、本実施形態による平板ディスプレイ装置の場合、平均点数ＭＥは１１．８０である。結論的に、本実施形態による平板ディスプレイ装置の方が、比較例による平板ディスプレイ装置に比べて落下による平板ディスプレイパネルの損傷の発生確率が低いということを意味する。
【００４０】
一方、図１Ａないし図１Ｃでは、べゼル４０が第１基板１０を包む構成を図示しているが、これと異なって、第１基板１０よりサイズの小さい第２基板２０を包むような構成にしてもよい。この場合にも、第１基板１０の第２基板２０の外側に露出された部分の角部Ａ′′を面取りすることによって、平板ディスプレイ装置の落下時に発生する衝撃による平板ディスプレイパネルの損傷を低減できる。
【００４１】
さらに、図１Ａないし図１Ｃでは、べゼル４０が折り曲げ部を持って平板ディスプレイパネルＰの端部面（側面）を包む一方、第１基板１０の第２基板２０の外側に露出された部分Ａに対応する平板ディスプレイパネルＰの端部面（側面）の中央部は包まない構成を図示している。
【００４２】
このような構造を通じて平板ディスプレイパネルＰとべゼル４０とが分離されることを防止しつつも、平板ディスプレイパネルＰに連結される構成要素を、第１基板１０の第２基板２０の外側に露出された部分Ａに対応する平板ディスプレイパネルＰの端部面（側面）の中央部を通じて、べゼル４０の外側に延長させて配置してもよい。
【００４３】
例えば、第１基板１０の第２基板２０の外側に露出された部分Ａにディスプレイ部に電気的に連結された端子部（図示せず）を配置させ、フレキシブル印刷回路基板（図示せず）を端子部に電気的に連結させることもできる。この場合、フレキシブル印刷回路基板が、平板ディスプレイパネルＰの端部面（側面）のうち、べゼル４０により包まれていない部分を通じて平板ディスプレイパネルの端子部に容易に電気的に連結されうる。
【００４４】
もちろん、図６の分解斜視図に示す本発明の他の実施形態による平板ディスプレイ装置のように、べゼル４０が折り曲げ部を持って平板ディスプレイパネルＰの端部面を包む一方、第１基板１０の第２基板２０の外側に露出された部分に対応する平板ディスプレイパネルＰの端部面は全く包まないような構成にすることもできるなど、その形状の多様な変形が可能である。
【００４５】
図７Ａないし図７Ｃは、本発明のさらに他の実施形態による平板ディスプレイ装置の平板ディスプレイパネルＰの一部分を概略的に示す平面図である。
【００４６】
図７Ａに示したように、第１基板１０の角部は直線形状に面取りされることもあり（Ａ′′部分参照）、図７Ｂに示したように、第１基板１０の角部は、第１基板１０の内側に湾曲した形状に面取りされることもあり（Ａ′′部分参照）、図７Ｃに示したように、第１基板１０の角部は、第１基板１０の外側に湾曲した形状に面取りされることもある（Ａ′′部分参照）など、多様な変形が可能であるということは言うまでもない。
【００４７】
一方、前述した実施形態による平板ディスプレイ装置でべゼルは、弾性変形可能な金属材料で形成されてもよい。べゼルが弾性変形可能な材料で形成される場合、落下による衝撃がべゼルの角部で発生しても、べゼルは元の形状に容易に回復できる。もちろん、平板ディスプレイパネルの第１基板の第２基板の外側に露出された部分の角部は面取りされているため、べゼルの角部が反っていて復元されるとしても、平板ディスプレイパネルへの衝撃力を、前述した比較例による平板ディスプレイ装置の場合に比べて効率的に低減できる。
【００４８】
本発明は、図面に示す実施形態を参考にして説明されたが、これは例示的なものに過ぎず、当業者ならば、これより多様な変形及び均等な他の実施形態が可能であるという点を理解できるであろう。したがって、本発明の真の技術的保護範囲は特許請求の範囲の技術的思想によって定められねばならない。
【産業上の利用可能性】
【００４９】
本発明は、平板ディスプレイ装置関連の技術分野に好適に用いられる。
【符号の説明】
【００５０】
１０    第１基板、
２０    第２基板、
３０    シーラント、
４０    べゼル、
Ｐ    平板ディスプレイパネル、
Ａ    一の側部、
Ａ′′    一の側部の角部。
【図１Ａ】
0005073689.tif 000002
【図１Ｂ】
0005073689.tif 000003
【図１Ｃ】
0005073689.tif 000004
【図２Ａ】
0005073689.tif 000005
【図２Ｂ】
0005073689.tif 000006
【図４Ａ】
0005073689.tif 000007
【図４Ｂ】
0005073689.tif 000008
【図４Ｃ】
0005073689.tif 000009
【図５】
0005073689.tif 000010
【図６】
0005073689.tif 000011
【図７Ａ】
0005073689.tif 000012
【図７Ｂ】
0005073689.tif 000013
【図７Ｃ】
0005073689.tif 000014
【図３Ａ】
0005073689.tif 000015
【図３Ｂ】
0005073689.tif 000016